(57)【要約】      （修正有）【課題】表示部の開閉時に発生する捩り剛性を確保することを提供する。【解決手段】表示部の周縁および背面を覆って当該表示部を格納した平面視での基本形状が略長方形状の第１筐体１１と、前記表示部に入力される表示信号を生成し得る操作制御部を格納した平面視での基本形状が略長方形状の第２筐体３１と、該第２筐体３１の一辺３１ｒ側と前記第１筐体の一辺１１ｒ側とを結合し両筐体を相対的に開閉可能に支持するヒンジ機構とを備えた情報処理装置であって、前記第１筐体には、前記一辺側と対向する他辺１１ｆ側の縁部に、前記第２筐体と閉じ合わせた状態で該第２筐体側に突出する凸部が前記他辺に沿って設けられている。【選択図】図７
2011070488.tif 000002
【特許請求の範囲】
【請求項１】
表示部の周縁および背面を覆って当該表示部を格納した平面視での基本形状が略長方形状の第１筐体と、前記表示部に入力される表示信号を生成し得る操作制御部を格納した平面視での基本形状が略長方形状の第２筐体と、該第２筐体の一辺側と前記第１筐体の一辺側とを結合し両筐体を相対的に開閉可能に支持するヒンジ機構とを備えた情報処理装置であって、
前記第１筐体には、前記一辺側と対向する他辺側の縁部に、前記第２筐体と閉じ合わせた状態で該第２筐体側に突出する凸部が前記他辺に沿って設けられている、ことを特徴とする情報処理装置。
【請求項２】
前記第２筐体には、前記一辺側と対向する他辺側の縁部に、前記第１筐体と閉じ合わせた状態で第１筐体の前記凸部を受け合う段部が前記他辺に沿って設けられている、ことを特徴とする請求項１に記載の情報処理装置。
【請求項３】
前記第１筐体の前記凸部を含む縁部内に空間部が形成され、該空間部内に、無線通信用のアンテナが、アンテナ基板が前記表示部の表示画面と略直交するように配置されている、ことを特徴とする請求項１又は２に記載の情報処理装置。
【発明の詳細な説明】
【技術分野】
【０００１】
本発明は、例えばノート型パーソナルコンピュータ（以下、適宜、「ノートパソコン」と略称する）などの開閉折り畳み式の情報処理装置に関し、特に、かかる情報処理装置における筐体の構造に関する。
【背景技術】
【０００２】
周知のように、例えばノートパソコン等の開閉折り畳み式の情報処理装置の筐体は、例えば液晶式などの表示画面を有する表示部を格納した表示部側の筐体（以下、適宜、「第１筐体」という）と、前記表示部に入力される表示信号を生成し得る操作制御部を格納した操作制御部側の筐体（以下、適宜、「第２筐体」という）とで構成され、両筐体は、ヒンジ機構により開閉可能に結合されている。より詳しく説明すれば、通常、第１筐体および第２筐体は共に平面視での基本形状が略長方形状に形成されており、その一辺側どうしをヒンジ機構を介して結合することにより、ヒンジ軸を中心にして両筐体が相対的に開閉動作を行うことができる。尚、前記操作制御部とは、キーボード等の入力装置、該入力装置による入力操作等に基づいて前記表示部へ出力する表示信号を生成する信号処理回路や中央演算処理装置（所謂ＣＰＵ）、更にはそれらの周辺部品などを含むものである。
【０００３】
また、近年では、外部との無線通信機能を有する情報処理装置が広範に普及しており、かかる情報処理装置に装備される無線通信用のアンテナとしては、基板（アンテナ基板）上にアンテナパターンを構成した非常に薄型でコンパクトなものが、幅広く採用されている。かかる無線通信用アンテナを情報処理装置の筐体に取り付ける場合、より良好なアンテナ特性を確保するためには、一般に、使用時にユーザの手指が触れ易い操作制御部側の筐体（第２筐体）よりも表示部側の筐体（第１筐体）に取り付ける方が好ましい、とされている。
【０００４】
例えば特許文献１には、前述のように構成された第１及び第２の筐体のうち、表示部側の第１筐体にアンテナ基板を取り付けるに際して、第１筐体の外縁と表示画面のガラス板との間に位置する縁取り部分で一種の化粧板の役割を果たす所謂エスカッション部分に、表示画面と平行にアンテナ基板を配置するようにした構成が開示されている。
【先行技術文献】
【特許文献】
【０００５】
【特許文献１】特開２００８−２８９０７号公報
【発明の概要】
【発明が解決しようとする課題】
【０００６】
ところで、特に近年、ノートパソコン等の情報処理装置のより一層の薄型化の要請の高まりに応じて、表示部側の第１筐体についても、ますます薄型化することが求められており、この薄型化の進展に伴って、第１筐体の剛性は不可避的に低下する傾向にある。しかしながら、第１筐体の場合、情報処理装置を開状態と閉状態とで切り換える際には、ユーザが第１筐体の周縁部等を把持して当該第１筐体を開閉させる関係上、この開閉時に発生し得る捩りに耐える捩り剛性を確保する必要がある。
【０００７】
また、第１筐体と第２筐体とを閉じ合わせた状態で、情報処理装置のヒンジ結合された前記一辺側と対向する他辺側（つまり、ユーザが情報処理装置を操作する状態におけるユーザから見て手前側）から、例えば前側面からの落下などによって衝撃荷重が加わった場合、第１筐体に入力された衝撃荷重はそのままヒンジ機構に伝わることになる。特に、衝撃が前上方から加わった場合には、衝撃荷重の大部分が第１筐体を介してヒンジ機構にそのまま伝わることになる。従って、ヒンジ機構は、かかる衝撃荷重に十分に耐え得る強度を備えた堅固なものとする必要があり、情報処理装置のより一層の軽量化および薄型化を図る上で、一つのネックになる。
【０００８】
尚、表示部側の第１筐体にアンテナ基板を取り付ける場合、アンテナ基板の表示画面からの距離（つまり、表示画面の駆動回路からの距離）を大きく保つほど、より良好なアンテナ特性が得られることが知られているが、前記従来（特許文献１参照）のように、アンテナ基板を表示画面と平行に配置したのでは、アンテナ基板の表示画面からの距離をより大きく確保するためには、第１筐体の縁取り部分（つまり、エスカッション部分）の幅を大きくする必要が生じる。しかしながら、このエスカッション部分の幅を大きくすれば、それだけ表示画面のサイズが制限されることになる。
【０００９】
本発明は、以上のような技術課題に鑑みてなされたもので、比較的簡単な構成で表示部側の第１筐体の捩り剛性を高めることができ、また、閉じ合わされた情報処理装置に前側面または前上方から衝撃が加わった際のヒンジ機構へ伝わる衝撃荷重を軽減することができるようにすることを、基本的な目的としてなされたものである。
【課題を解決するための手段】
【００１０】
このため、本発明に係る情報処理装置は、表示部の周縁および背面を覆って当該表示部を格納した平面視での基本形状が略長方形状の第１筐体と、前記表示部に入力される表示信号を生成する操作制御部を格納した平面視での基本形状が略長方形状の第２筐体と、該第２筐体の一辺側と前記第１筐体の一辺側とを結合し両筐体を相対的に開閉可能に支持するヒンジ機構とを備えた情報処理装置であって、前記第１筐体には、前記一辺側と対向する他辺側の縁部に、前記第２筐体と閉じ合わせた状態で該第２筐体側に突出する凸部が前記他辺に沿って設けられている、ことを特徴としたものである。
【発明の効果】
【００１１】
本発明によれば、第１筐体には、前記一辺側（ヒンジ側）と対向する他辺側の縁部に、第２筐体と閉じ合わせた状態で該第２筐体側に突出する凸部が前記他辺に沿って設けられており、他辺に沿って延びる凸部により第１筐体の剛性が高められている。すなわち、このような「他辺に沿って延びる凸部」を設けるだけの比較的簡単な構成で、第１筐体の剛性を高めることができ、情報処理装置を開状態と閉状態とで切り換える際に、ユーザが第１筐体の周縁部等を把持して当該第１筐体を開閉させるときに発生し得る捩りに耐える捩り剛性を、比較的容易に確保することが可能になる。また、ユーザが第１筐体の前記他辺の縁部を把持して当該第１筐体を開閉させる場合には、その把持性を向上させることもできる。
【図面の簡単な説明】
【００１２】
【図１】実施形態に係るノートパソコンの使用可能状態を示す全体斜視図
【図２】前記ノートパソコンの不使用状態を示す全体斜視図
【図３】前記ノートパソコンの不使用状態における平面図
【図４】前記ノートパソコンの不使用状態における側面図
【図５】前記ノートパソコンの第１筐体の構成を概略的に示す分解斜視図
【図６】前記ノートパソコンの不使用状態における正面図
【図７】図６のＹ７−Ｙ７線に沿った縦断面図
【図８】図７の要部（Ｙ８部分）を拡大して示す拡大断面図
【発明を実施するための形態】
【００１３】
本発明の情報処理装置は、上述の構成を基本として、以下のような態様をとることができる。すなわち、前記構成の情報処理装置において、前記第２筐体には、前記一辺側と対向する他辺側の縁部に、前記第１筐体と閉じ合わせた状態で第１筐体の前記凸部を受け合う段部が前記他辺に沿って設けられていてもよい。
【００１４】
この場合には、第２筐体には、第１筐体と閉じ合わせた状態で第１筐体の凸部を受け合う段部が設けられているので、両筐体を閉じ合わせた状態では、第１筐体の凸部は第２筐体の段部に受け合われて収容される。従って、第１筐体の他辺側の縁部に、第２筐体と閉じ合わせた状態で該第２筐体側に突出する凸部を設けても、第１筐体の全体の厚さを厚くする必要はない。しかも、第２筐体に、第１筐体と閉じ合わせた状態で第１筐体の凸部を受け合う段部を設けたことにより、閉じ合わされた情報処理装置に前側面または前上方から衝撃が加わった際には、衝撃荷重の少なくとも一部は第２筐体の段部で受け止められるので、ヒンジ機構へ伝わる衝撃荷重を軽減することができる。
【００１５】
また、本発明の情報処理装置は、以上の構成を基本として、以下のような態様をとることができる。すなわち、以上の構成の情報処理装置において、前記第１筐体の前記凸部を含む縁部内に空間部が形成され、該空間部内に、無線通信用のアンテナが、アンテナ基板が前記表示部の表示画面と略直交するように配置されていてもよい。
【００１６】
この場合には、アンテナ基板は、第１筐体の前記凸部を含む縁部内の空間部内にて、表示部の表示画面と略直交するように配置されているので、第１筐体のエスカッション部分の幅を大きくすることなく、アンテナ基板の表示画面からの距離をより大きく確保して良好なアンテナ特性を得ることができる。しかも、前述のように、第２筐体には、第１筐体と閉じ合わせた状態で第１筐体の凸部を受け合う段部が設けられ、両筐体を閉じ合わせた状態では、第１筐体の凸部は第２筐体の段部に受け合われて収容されるので、情報処理装置の全体の厚さが、前記凸部の突出量に（つまり、凸部内に配置されるアンテナ基板の幅寸法に）影響されることはなく、当該情報処理装置の一層の薄型化を図る上で、阻害要因となることはない。
【００１７】
（実施の形態）
以下、本発明の実施形態について、所謂ノートパソコンを例にとって、添付図面を参照しながら詳細に説明する。
尚、以下の説明では、特定の方向を意味する用語（例えば、「上」、「下」、「左」、「右」、およびそれらを含む他の用語、「時計回り方向」、「反時計回り方向」）を使用する場合があるが、それらの使用は図面を参照した発明の理解を容易にするためであって、それらの用語の意味によって本発明は限定的に解釈されるべきものではない。
【００１８】
図１及び図２は、本実施形態に係るノートパソコンの使用可能状態（開状態）および不使用状態（閉状態）をそれぞれ示す斜視図である。また、図３及び図４は、前記ノートパソコンの不使用状態における平面図および側面図である。
【００１９】
これらの図に示すように、本実施形態に係る情報処理装置としてのノートパソコンＷは、例えば液晶式とされた表示画面１２を有する表示部１０と、該表示部１０に入力される表示信号を生成し得る操作制御部３０とを備えている。該操作制御部３０は、キーボード等の入力装置３２、該入力装置３２による入力操作等に基づいて表示部へ出力する表示信号を生成する信号処理回路や中央演算処理装置（所謂ＣＰＵ）、更にはそれらの周辺部品（何れも不図示）などを含むものである。また、ユーザ（使用者）がノートパソコンＷを操作する操作状態において当該ユーザから見てキーボード３２の手前側には、タッチパッド３３が設けられており、ユーザはこのタッチパッド３３を上下左右になぞるだけで、カーソルの移動や表示画面１２のスクロール等を行うことができる。
【００２０】
前記表示部１０は、表示部側の筐体１１（第１筐体）に格納されてその周縁および背面が覆われており、一方、制御操作部３０は操作制御部側の筐体３１（第２筐体）に格納され、両筐体１０，３０は、ヒンジ機構２０により開閉可能に結合されている。
より詳しく説明すれば、第１筐体１１および第２筐体３１は共に、平面視における全体としての基本形状が略長方形状に形成されており、その一辺１１ｒ，３１ｒ側（つまり、閉じ合わされたノートパソコンＷのユーザから見た後側）どうしをヒンジ機構２０を介して結合することにより、ヒンジ軸２１（図４参照）を中心にして両筐体が相対的に開閉動作を行えるようになっている。尚、本明細書において、前記「長方形」とは、その一形態として「正方形」である場合を含むものである。
【００２１】
図５は、第１筐体１１の構成を概略的に示す分解斜視図であるが、この図に示すように、第１筐体１１は、正面視で四辺形の枠状をなすベースフレーム１４と、該ベースフレーム１４と対向配置される背面パネル１５と、該背面パネル１５の上部に接合される上部カバー１６とで構成されている。表面がガラス板で覆われた液晶パネル１８は、ベースフレーム１４と背面パネル１５及び上部カバー１６との間に保持される。この背面パネル１５と上部カバー１６とを一体的に接合することで、第１筐体１１の外板１７（アウタパネル）が構成されている。
【００２２】
前記背面パネル１５は、好ましくは機械的剛性等の点で、例えばマグネシウム（Ｍｇ）等の金属製であり、また、ベースフレーム１４及び上部カバー１６は共に、好ましくは、例えばプラスチック製である。尚、第２筐体３１の主要部分も、好ましくは機械的剛性等の点で、例えばマグネシウム（Ｍｇ）等の金属製である。
【００２３】
前記ベースフレーム１４の基端側（図５における下側）の左右両端部には、ヒンジ機構２０のカバー体２５（ヒンジカバー）が一体に形成されている。尚、かかるヒンジカバー２５をベースフレーム１４とは別体に設けても良い。このベースフレーム１４の枠体の前面部分は、表示部１０の組立状態で、第１筐体１１の外縁と表示画面１２のガラス板との間に位置する縁取り部分となる所謂エスカッション部分１４ａであり、液晶パネル１８の有効表示画面を規定すると共に、一種の化粧板の役割を果たしている。
【００２４】
本実施形態では、後で詳しく説明するように、前記第１筐体１１側に無線通信用アンテナが取り付けられる。表示部側の第１筐体１１にアンテナを取り付ける場合、アンテナ基板Ａｎの表示画面１２からの距離（つまり、表示画面１２の駆動回路からの距離）を大きく保つほど、より良好なアンテナ特性が得られることが知られているが、前記従来（特許文献１参照）のように、アンテナ基板Ａｎを表示画面１２と平行に配置したのでは、アンテナ基板Ａｎの表示画面１２からの距離をより大きく確保するためには、第１筐体１１のエスカッション部分１４ａの幅を大きくする必要が生じる。しかしながら、このエスカッション部分１４ａの幅を大きくすれば、それだけ表示画面１２のサイズが制限されることになる。
【００２５】
このため、第１筐体１１の前記一辺１１ｒ側（ヒンジ側）と対向する他辺側（つまり、ユーザがノートパソコンＷを操作する状態におけるユーザから見て手前側）の端部に、端面と平行に延びるように、つまり表示画面１２と直交するように、アンテナ基板Ａｎを配置することが考えられる。かかる構成によれば、第１筐体１１のエスカッション部分１４ａの幅を大きくすることなく、アンテナ基板Ａｎの表示画面１２からの距離をより大きく確保することが可能になる。
【００２６】
しかしながら、このようにアンテナ基板Ａｎが表示画面１２と直交するように配置する配置構造では、第１筐体１１の前記一辺１１ｒ側（ヒンジ側）と対向する他辺側の端面の幅寸法は、当然にアンテナ基板Ａｎの幅寸法よりも大きくなければならない。従って、第１筐体１１全体の厚さがアンテナ基板Ａｎの幅寸法に依存することになり、当該第１筐体１１の一層の薄型化、ひいてはノートパソコンＷ全体の一層の薄型化を図る上で不利になるという難点がある。
【００２７】
そこで、本実施形態では、以下に説明するように、アンテナ基板Ａｎを第１筐体１１に取り付けるに際して、アンテナ基板Ａｎの表示画面１２からの距離（つまり、液晶パネル１８からの距離）をより大きく確保してより良好なアンテナ特性を得ることができるようにするために、アンテナ基板Ａｎが表示画面１２と直交する（つまり、液晶パネル１８と直交する）ように配置しても、ノートパソコンＷ全体の厚さに影響を及ぼすことがないように構成されている。
【００２８】
図６は前記ノートパソコンの不使用状態における前方側正面図、図７は図６のＹ７−Ｙ７線に沿った縦断面図、また、図８は図７の要部（図７におけるＹ８部分）を拡大して示す拡大断面図である。
これらの図に示すように、本実施形態では、ユーザが第１筐体１１の周縁部等を把持して当該第１筐体１１を開閉操作する際に生じ得る捩りに耐え得る捩り剛性を付与するために、第１筐体１１の前記他辺１１ｆ側の縁部に、第２筐体３１と閉じ合わせた状態で該第２筐体３１側に突出する凸部１９が前記他辺１１ｆに沿って設けられている。この凸部１９は、前記他辺１１ｆを中空の柱状に湾曲させた構成を有し、より好ましくは、前記他辺１１ｆの略全長にわたって設けられている。
【００２９】
本実施形態によれば、このような「他辺１１ｆに沿って延びる凸部１９」を設けるだけの比較的簡単な構成で、第１筐体１１の剛性を高めることができ、ノートパソコンＷを開状態と閉状態とで切り換える際に、ユーザが第１筐体１１の周縁部等を把持して当該第１筐体１１を開閉させるときに発生し得る捩りに耐える捩り剛性の向上、及び／または周縁部等をユーザが把持する把持力による液晶パネル１８の表示特性の変化の抑制等を、比較的容易に確保することができる。また、ユーザが第１筐体１１の前記他辺１１ｆ側を把持して当該第１筐体１１を開閉させる場合には、その把持性を向上させることもできるのである。
【００３０】
一方、第２筐体３１の他辺３１ｆ側の縁部には、第１筐体１１と閉じ合わせた状態で該第１筐体１１の前記凸部１９を受け合う段部３９が他辺３１ｆに沿って設けられている。これにより、両筐体１１，３１を閉じ合わせた状態では、第１筐体１１の凸部１９は第２筐体３１の段部３９に受け合われて収容される。
【００３１】
従って、第１筐体１１の他辺１１ｆ側の縁部に、第２筐体３１と閉じ合わせた状態で該第２筐体３１側に突出する凸部１９を設けても、ノートパソコンＷ全体の厚さを厚くする必要はない。しかも、第２筐体３１に、第１筐体１１と閉じ合わせた状態で第１筐体１１の凸部１１ｆを受け合う段部３９を設けたことにより、閉じ合わされたノートパソコンＷに前側面または前上方から衝撃が加わった際には、衝撃荷重の少なくとも一部は第２筐体３１の段部３９で受け止められるので、ヒンジ機構２０へ伝わる衝撃荷重を軽減することができる。従って、ヒンジ機構２０を過度に堅牢なものとする必要がなく、ノートパソコンＷのより一層の軽量化および薄型化に資することができる。また、段部３９を設けたことにより、前側面と第１筐体３１の主面とが成す角部に屈曲を増加させることとなり、第１筐体の前側面自体及び前上方自体が受ける衝撃に対する堅牢性も向上する。
【００３２】
更に、本実施形態では、第１筐体１１の前記凸部１９を含む縁部内に空間部Ｓｎが形成され、該空間部Ｓｎ内に、無線通信用のアンテナが、アンテナ基板Ａｎが表示画面１２と直交する（つまり、液晶パネル１８と直交する）ように配置されている。すなわち、第１筐体１１の前記一辺１１ｒ側（ヒンジ側）と対向する他辺１１ｆ側（使用状態における上側）の端部に、端面１１ｍと平行に延びるようにアンテナ基板Ａｎを配置している。
【００３３】
本実施形態では、好ましくは、略長方形状に形成された複数（例えば４枚：図５参照）のアンテナ基板Ａｎが用意され、各アンテナ基板Ａｎは、長手方向が前記他辺１１ｆに沿って端面１１ｍと平行に延びるように配置されている。尚、具体的には図示しなかったが、各アンテナ基板Ａｎには、当該アンテナ基板Ａｎ上のアンテナ素子に接続される接続金具および接続ケーブルが付設されている。
【００３４】
そして、各アンテナ基板Ａｎは、図８に詳しく示されるように、第１筐体１１の前記凸部１９を含む縁部内にて、プラスチック製のベースフレーム１４の縁部とやはりプラスチック製の上部カバー１６の縁部とで挟持された状態で、空間部Ｓｎ内に固定・保持されている。このように構成したことにより、アンテナ基板Ａｎの表示画面１２からの距離（つまり、液晶パネル１８からの距離）を約８〜１０ｍｍ程度以上確保でき、液晶パネル１８を駆動する駆動回路等とアンテナ基板Ａｎとの電気的干渉等による送受信特性の劣化を抑制することができ、良好なアンテナ特性を得ることができた。
【００３５】
このように、アンテナ基板Ａｎは、第１筐体１１の前記凸部１９を含む縁部内の空間部Ｓｎ内にて、表示部１０の表示画面１２と略直交するように配置されているので、第１筐体１１のエスカッション部分１４ａの幅を大きくすることなく、アンテナ基板Ａｎの表示画面１２からの距離をより大きく確保して良好なアンテナ特性を得ることができる。しかも、前述のように、第２筐体３１には、第１筐体１１と閉じ合わせた状態で第１筐体１１の凸部１９を受け合う段部３９が設けられ、両筐体１１，３１を閉じ合わせた状態では、第１筐体１１の凸部１９は第２筐体３１の段部３９に受け合われて収容されるので、第１筐体１１の全体の厚さが、前記凸部１９の突出量に（つまり、凸部１９内に配置されるアンテナ基板Ａｎの幅寸法に）影響されることはなく、第１筐体１１の一層の薄型化を図る上で、阻害要因となることはない。
【００３６】
尚、以上の説明では、第１筐体１１の前記凸部１９及び第２筐体３１の段部３９は、第１筐体１１の前記他辺１１ｆの略全長および第２筐体３１の前記他辺３１ｆの略全長にわたって設けられていたが、第１筐体１１の所要の捩り剛性さえ確保できれば、あるいはヒンジ機構２０へ伝わる衝撃荷重の所要の軽減効果さえ確保できれば、必要に応じて部分的に途切れる箇所があってもよい。例えば、所定長さを有する複数の（例えば４枚の）アンテナ基板Ａｎの設置箇所に対応する各部分についてのみ、前記凸部および段部を設けるようにしても、一定の効果が得られる。
【００３７】
また、以上の説明は、ノートパソコンを例にとったものであったが、本発明はかかる場合に限定されるものではなく、表示部を格納した第１筐体と操作制御部を格納した第２筐体とを備えた、他の種々の情報処理装置、とりわけ第１筐体側に無線通信用アンテナを配置する他の種々の情報処理装置においても、有効に適用することができる。
【００３８】
このように、本発明は、上述の実施形態や変形例に限定されるものではなく、その要旨を逸脱しない範囲において、種々の変更や設計上の改良等を行い得るものであることは、言うまでもない。
【産業上の利用可能性】
【００３９】
本発明は、例えばノートパソコンなどの情報処理装置における筺体の構造として、有効に利用することができる。
【符号の説明】
【００４０】
１０  表示部
１１  第１筐体
１１ｆ  第１筐体の他辺
１１ｒ  第１筐体の一辺
１２  表示画面
１８  液晶パネル
１９  凸部
２０  ヒンジ機構
２１  ヒンジ軸
３０  操作制御部
３１  第２筐体
３１ｆ  第２筐体の他辺
３１ｒ  第２筐体の一辺
３９  段部
Ａｎ  アンテナ基板
Ｓｎ  空間部
Ｗ  ノートパソコン
【図１】
2011070488.tif 000003
【図２】
2011070488.tif 000004
【図３】
2011070488.tif 000005
【図４】
2011070488.tif 000006
【図５】
2011070488.tif 000007
【図６】
2011070488.tif 000008
【図７】
2011070488.tif 000009
【図８】
2011070488.tif 000010